(57)【要約】  【課題】  本発明は，現実社会に即したデザインを創作する動機付けを与えるためのシステムを提供することを目的とする。  【解決手段】  本発明は，基本的には，ある商品に関するデザインをウェブ上にアップロードし，そのアップロードしたデザインを商品化したい者を募るというものである。すなわち，本発明は，デザインを募集し，募集したデザインを効果的に商品化するとともに，優秀なデザインを提供した者に創作料を支払うことで，創作意欲を沸き立たせ，実社会に即したデザインを創作する動機付けを与えるための，インターネットを用いたマーケティングシステムに関する。  【選択図】  図４
2008269033.tif 000002
【特許請求の範囲】
【請求項１】
サーバ（１）と，前記サーバ（１）とインターネット（２）を介して接続された複数のクライアント（３ａ，３ｂ，３ｃ）とを含む，インターネットを介した商品デザインの提供システム（４）であって，  
前記サーバ（１）は，
前記クライアントのいずれか（３ａ）から，商品デザイン，及び商品デザインの提供者のＩＤを含む情報を受け取るための商品デザイン受領部（１１）と，
前記商品デザイン受領部（１１）が受け取った前記商品デザインを含む情報に基づいて，商品デザインにＩＤを割り当てる商品デザインＩＤ割当部（１２）と，
前記商品デザイン受領部（１１）が受け取った前記商品デザイン，及び商品デザインの提供者のＩＤを含む情報，及び前記商品デザインＩＤ割当部（１２）が割り当てた商品デザインのＩＤと，を関連づけて記憶するための商品デザイン記憶部（１３）と，
前記商品デザイン記憶部（１２）が記憶した情報のうち，商品デザインに関する情報を前記クライアント（３）の表示装置に表示させるための出力部（１４）と，
前記クライアントのいずれか（３ｂ）が，前記クライアント（３ｂ）の表示装置に出力された商品デザインに関する情報を商品化することを選択した場合に，前記選択したクライアントから，前記サーバ（１）へ，商品化希望情報，その選択された商品デザインのＩＤ，及び商品化希望者のＩＤを含む情報を送信させるようにするための選択時処理部（１５）と，
前記商品デザインに関する情報を商品化することを選択したクライアント（３ｂ）が送信した，前記商品化希望情報，商品デザインのＩＤ，及び商品化希望者のＩＤを含む情報を受け取るための，商品化希望受領部（１６）と，
前記商品化希望受領部（１６）が受け取った前記商品化希望情報，商品デザインのＩＤ，及び商品化希望者のＩＤを含む情報を記憶するための商品化希望情報記憶部（１７）と，
前記商品化希望受領部（１６）が商品化希望情報を受け取った場合に，前記商品化希望情報記憶部（１７）から，前記商品デザインのＩＤを読み出すとともに，前記商品デザインのＩＤと関連して記憶される商品デザインの提供者のＩＤを読み出し，前記商品デザインの提供者のＩＤに関するクライアントへ，商品化希望があった旨の通知を行うための，商品化希望通知部（１８）と，
を具備する，
募集したデザインを用いたマーケティングシステム。
【発明の詳細な説明】
【技術分野】
【０００１】
本発明は，デザインを募集し，募集したデザインを効果的に商品化するとともに，優秀なデザインを提供した者に創作料を支払うことで，創作意欲を沸き立たせ，実社会に即したデザインを創作する動機付けを与えるための，インターネットを用いたマーケティングシステムに関する。
【背景技術】
【０００２】
美術大学などには，創作性に優れた学生が多数在籍する。一方，学生の卒業制作などは，創作性を強調するあまり，実社会では用いられないデザインを創作する者が多い。実社会で用いられるようなデザインを創作することは，将来デザイナーとして活躍する上で重要である。しかしながら，大学に在学中，現実的なデザインを創作する能力を高める動機付けとなるものが少ない。そこで，実社会に即したデザインを創作するとともに，そのような創作能力を高めるためのシステムが望まれる。
【０００３】
一方，特開２００２−１９７３２６には，購入者がギフトをデザインするのを支援するためのネットワークウェブサイトシステムが開示されている。しかしながら，この公報に開示されるシステムは，単にデザインコンセプトに一致する商品を選択するものである。すなわち，この公報に開示されるシステムは，デザイナーなどの創作意欲を惹き起こすものではない。
【特許文献１】特開２００２−１９７３２６号公報
【発明の開示】
【発明が解決しようとする課題】
【０００４】
本発明は，現実社会に即したデザインを創作する動機付けを与えるためのシステムを提供することを目的とする。      
【課題を解決するための手段】
【０００５】
本発明は，基本的には，ある商品に関するデザインをウェブ上にアップロードし，そのアップロードしたデザインを商品化したい者を募るというものである。すなわち，本発明は，デザインを募集し，募集したデザインを効果的に商品化するとともに，優秀なデザインを提供した者に創作料を支払うことで，創作意欲を沸き立たせ，実社会に即したデザインを創作する動機付けを与えるための，インターネットを用いたマーケティングシステムに関する。
【０００６】
本発明は，具体的には，サーバ（１）と，前記サーバ（１）とインターネット（２）を介して接続された複数のクライアント（３ａ，３ｂ，３ｃ）とを含む，インターネットを介した商品デザインの提供システム（４）であって，前記サーバ（１）は，前記クライアントのいずれか（３ａ）から，商品デザイン，及び商品デザインの提供者のＩＤを含む情報を受け取るための商品デザイン受領部（１１）と，前記商品デザイン受領部（１１）が受け取った前記商品デザインを含む情報に基づいて，商品デザインにＩＤを割り当てる商品デザインＩＤ割当部（１２）と，前記商品デザイン受領部（１１）が受け取った前記商品デザイン，及び商品デザインの提供者のＩＤを含む情報，及び前記商品デザインＩＤ割当部（１２）が割り当てた商品デザインのＩＤと，を関連づけて記憶するための商品デザイン記憶部（１３）と，前記商品デザイン記憶部（１２）が記憶した情報のうち，商品デザインに関する情報を前記クライアント（３）の表示装置に表示させるための出力部（１４）と，前記クライアントのいずれか（３ｂ）が，前記クライアント（３ｂ）の表示装置に出力された商品デザインに関する情報を商品化することを選択した場合に，前記選択したクライアントから，前記サーバ（１）へ，商品化希望情報，その選択された商品デザインのＩＤ，及び商品化希望者のＩＤを含む情報を送信させるようにするための選択時処理部（１５）と，前記商品デザインに関する情報を商品化することを選択したクライアント（３ｂ）が送信した，前記商品化希望情報，商品デザインのＩＤ，及び商品化希望者のＩＤを含む情報を受け取るための，商品化希望受領部（１６）と，前記商品化希望受領部（１６）が受け取った前記商品化希望情報，商品デザインのＩＤ，及び商品化希望者のＩＤを含む情報を記憶するための商品化希望情報記憶部（１７）と，前記商品化希望受領部（１６）が商品化希望情報を受け取った場合に，前記商品化希望情報記憶部（１７）から，前記商品デザインのＩＤを読み出すとともに，前記商品デザインのＩＤと関連して記憶される商品デザインの提供者のＩＤを読み出し，前記商品デザインの提供者のＩＤに関するクライアントへ，商品化希望があった旨の通知を行うための，商品化希望通知部（１８）と，を具備する，募集したデザインを用いたマーケティングシステムに関する。
【発明の効果】
【０００７】
本発明によれば，現実社会に即したデザインを創作し，サイトへアップロードすることで，そのデザインが実際に商品化される可能性がでてくる。よって，本発明によれば，現実社会に即したデザインを創作する動機付けを与えるためのシステムを提供することができる。  
【発明を実施するための最良の形態】
【０００８】
図１は，本発明のシステムの概略図である。すなわち，図１に示されるように，本発明のシステムは，サーバ（１）と，前記サーバ（１）とインターネット（２）を介して接続された複数のクライアント（３ａ，３ｂ，３ｃ）とを含む，インターネットを介した商品デザインの提供システム（４）である。
【０００９】
図２は，本発明のサーバ及びクライアントの概略構成図である。図２に示されるように，本発明のサーバは，前記クライアントのいずれか（３ａ）から，商品デザイン，及び商品デザインの提供者のＩＤを含む情報を受け取るための商品デザイン受領部（１１）と，前記商品デザイン受領部（１１）が受け取った前記商品デザインを含む情報に基づいて，商品デザインにＩＤを割り当てる商品デザインＩＤ割当部（１２）と，前記商品デザイン受領部（１１）が受け取った前記商品デザイン，及び商品デザインの提供者のＩＤを含む情報，及び前記商品デザインＩＤ割当部（１２）が割り当てた商品デザインのＩＤと，を関連づけて記憶するための商品デザイン記憶部（１３）と，前記商品デザイン記憶部（１２）が記憶した情報のうち，商品デザインに関する情報を前記クライアント（３）の表示装置に表示させるための出力部（１４）と，前記クライアントのいずれか（３ｂ）が，前記クライアント（３ｂ）の表示装置に出力された商品デザインに関する情報を商品化することを選択した場合に，前記選択したクライアントから，前記サーバ（１）へ，商品化希望情報，その選択された商品デザインのＩＤ，及び商品化希望者のＩＤを含む情報を送信させるようにするための選択時処理部（１５）と，前記商品デザインに関する情報を商品化することを選択したクライアント（３ｂ）が送信した，前記商品化希望情報，商品デザインのＩＤ，及び商品化希望者のＩＤを含む情報を受け取るための，商品化希望受領部（１６）と，前記商品化希望受領部（１６）が受け取った前記商品化希望情報，商品デザインのＩＤ，及び商品化希望者のＩＤを含む情報を記憶するための商品化希望情報記憶部（１７）と，前記商品化希望受領部（１６）が商品化希望情報を受け取った場合に，前記商品化希望情報記憶部（１７）から，前記商品デザインのＩＤを読み出すとともに，前記商品デザインのＩＤと関連して記憶される商品デザインの提供者のＩＤを読み出し，前記商品デザインの提供者のＩＤに関するクライアントへ，商品化希望があった旨の通知を行うための，商品化希望通知部（１８）と，を具備する。
【００１０】
商品デザイン受領部（１１）は，前記クライアントのいずれか（３ａ）から，商品デザイン，及び商品デザインの提供者のＩＤを含む情報を受け取るための装置である。
【００１１】
商品デザインは，たとえば，正面図，背面図，側面図などに関するタグとともに，それらのデザインが添付されるものであっても良い。そのようにすることで，タグを分析して自動的に意匠登録出願の出願書類を作成できることとなる。
【００１２】
商品デザインは，椅子のデザイン，机のデザイン，家のデザイン，衣服のデザイン，枕のデザイン，寝具のデザイン，クッションのデザイン，布団のデザイン，布団カバーのデザイン，枕カバーのデザイン，カーテンのデザイン又は食器のデザインなどがあげられる。
【００１３】
商品デザインは，ＧＩＦ，ＪＰＥＧ，又はＴＩＦＦなどウェブページ上で表示できる形式とされていることが好ましい。
【００１４】
商品デザインの提供者のＩＤは，商品デザインの提供者を識別するための情報である。商品デザインの提供者のＩＤは，あらかじめ設定したものを送信させても良い。また，情報を送信してきたクライアントのＩＰアドレスを読み出して，商品デザインの提供者のＩＤを割り振っても良い。
【００１５】
商品デザインＩＤ割当部（１２）は，前記商品デザイン受領部（１１）が受け取った前記商品デザインを含む情報に基づいて，商品デザインにＩＤを割り当てるための装置である。
【００１６】
商品デザインＩＤ割当部（１２）は，前記商品デザイン受領部（１１）が受け取った前記商品デザインに関する情報に基づいて，商品デザインにＩＤを割り当てるものであってもよい。また，商品デザインＩＤ割当部（１２）は，商品のカテゴリーに応じたＩＤを割り当てるものであっても良い。
【００１７】
商品デザイン記憶部（１３）は，前記商品デザイン受領部（１１）が受け取った前記商品デザイン，及び商品デザインの提供者のＩＤを含む情報，及び前記商品デザインＩＤ割当部（１２）が割り当てた商品デザインのＩＤと，を関連づけて記憶するための装置である。たとえば，ハードディスク，メモリ，バッファ，又は外部記録媒体などが，商品デザイン記憶部（１３）として機能しうる。
【００１８】
出力部（１４）は，前記商品デザイン記憶部（１２）が記憶した情報のうち，商品デザインに関する情報を前記クライアント（３）の表示装置に表示させるための装置である。この装置から出力された情報は，インターネット（２）を介して各クライアント（３）へ送信できる状態とされる。
【００１９】
選択時処理部（１５）は，前記クライアントのいずれか（３ｂ）が，前記クライアント（３ｂ）の表示装置に出力された商品デザインに関する情報を商品化することを選択した場合に，前記選択したクライアントから，前記サーバ（１）へ，商品化希望情報，その選択された商品デザインのＩＤ，及び商品化希望者のＩＤを含む情報を送信させるようにするための装置である。選択時処理部（１５）は，そのような処理を行わせるためのプログラムにより実装される。
【００２０】
商品化希望受領部（１６）は，前記商品デザインに関する情報を商品化することを選択したクライアント（３ｂ）が送信した，前記商品化希望情報，商品デザインのＩＤ，及び商品化希望者のＩＤを含む情報を受け取るための装置である。
【００２１】
商品化希望情報記憶部（１７）は，前記商品化希望受領部（１６）が受け取った前記商品化希望情報，商品デザインのＩＤ，及び商品化希望者のＩＤを含む情報を記憶するための装置である。たとえば，ハードディスク，メモリ，バッファ，又は外部記録媒体などが，商品化希望情報記憶部（１７）として機能しうる。
【００２２】
商品化希望通知部（１８）は，前記商品化希望受領部（１６）が商品化希望情報を受け取った場合に，前記商品化希望情報記憶部（１７）から，前記商品デザインのＩＤを読み出すとともに，前記商品デザインのＩＤと関連して記憶される商品デザインの提供者のＩＤを読み出し，前記商品デザインの提供者のＩＤに関するクライアントへ，商品化希望があった旨の通知を行うための装置である。具体的には，商品デザインの提供者のＩＤとともに，連絡先の電子メールアドレスが記憶されており，前記商品化希望受領部（１６）が商品化希望情報を受け取った場合に，メモリなどに格納された定型文を読み出すとともに，適宜商品化希望者に関する情報を付加して，前記電子メールアドレスに情報を送信するものがあげられる。
【００２３】
なお，本発明は，サーバなどのコンピュータを，
クライアントのいずれか（３ａ）から，商品デザイン，及び商品デザインの提供者のＩＤを含む情報を受け取るための商品デザイン受領手段（１１）と，
前記商品デザイン受領手段（１１）が受け取った前記商品デザインを含む情報に基づいて，商品デザインにＩＤを割り当てる商品デザインＩＤ割当手段（１２）と，
前記商品デザイン受領手段（１１）が受け取った前記商品デザイン，及び商品デザインの提供者のＩＤを含む情報，及び前記商品デザインＩＤ割当手段（１２）が割り当てた商品デザインのＩＤと，を関連づけて記憶するための商品デザイン記憶手段（１３）と，
前記商品デザイン記憶手段（１２）が記憶した情報のうち，商品デザインに関する情報を前記クライアント（３）の表示装置に表示させるための出力手段（１４）と，
前記クライアントのいずれか（３ｂ）が，前記クライアント（３ｂ）の表示装置に出力された商品デザインに関する情報を商品化することを選択した場合に，前記選択したクライアントから，前記サーバ（１）へ，商品化希望情報，その選択された商品デザインのＩＤ，及び商品化希望者のＩＤを含む情報を送信させるようにするための選択時処理手段（１５）と，
前記商品デザインに関する情報を商品化することを選択したクライアント（３ｂ）が送信した，前記商品化希望情報，商品デザインのＩＤ，及び商品化希望者のＩＤを含む情報を受け取るための，商品化希望受領手段（１６）と，    
前記商品化希望受領手段（１６）が受け取った前記商品化希望情報，商品デザインのＩＤ，及び商品化希望者のＩＤを含む情報を記憶するための商品化希望情報記憶手段（１７）と，
前記商品化希望受領手段（１６）が商品化希望情報を受け取った場合に，前記商品化希望情報記憶手段（１７）から，前記商品デザインのＩＤを読み出すとともに，前記商品デザインのＩＤと関連して記憶される商品デザインの提供者のＩＤを読み出し，前記商品デザインの提供者のＩＤに関するクライアントへ，商品化希望があった旨の通知を行うための，商品化希望通知手段（１８）と，
して機能させるプログラム，又は，そのようなプログラムを格納したコンピュータ読み取り可能な情報記録媒体をも提供する。
【００２４】
特に図示しないが，本発明のサーバ及びクライアントは，インターネットや外部と情報をやり取りするための入出力装置，制御プログラムなどを格納したメインメモリやバッファなどの記憶装置，ＣＰＵなどの制御部及び演算部を具備する。そして，各装置は，バスなどで情報の授受を行うことができるようにされている。そして，所定の情報が入力装置からＣＰＵなどへ入力されると，ＣＰＵはその入力情報に基づいて，メインメモリから制御プログラムを読み出す。そして，ＣＰＵは，その制御プログラムの指令に基づいて，メモリから所定の情報を適宜読み出すとともに，適宜入力情報を用いて，所定の演算を行い，演算結果を記憶装置に記憶する。そして，制御指令に基づいて，適宜演算結果などの情報を外部へ出力する。
【００２５】
以下，本発明のシステムを用いた動作例を説明する。商品デザイン受領部（１１）は，前記クライアントのいずれか（３ａ）から，商品デザイン，及び商品デザインの提供者のＩＤを含む情報を受け取る。
【００２６】
商品デザインＩＤ割当部（１２）は，前記商品デザイン受領部（１１）が受け取った前記商品デザインを含む情報に基づいて，商品デザインにＩＤを割り当てる。
【００２７】
商品デザイン記憶部（１３）は，前記商品デザイン受領部（１１）が受け取った前記商品デザイン，及び商品デザインの提供者のＩＤを含む情報，及び前記商品デザインＩＤ割当部（１２）が割り当てた商品デザインのＩＤと，を関連づけて記憶する。
【００２８】
出力部（１４）は，前記商品デザイン記憶部（１２）が記憶した情報のうち，商品デザインに関する情報を前記クライアント（３）の表示装置に表示させる。この装置から出力された情報は，インターネット（２）を介して各クライアント（３）へ送信できる状態とされる。
【００２９】
選択時処理部（１５）は，前記クライアントのいずれか（３ｂ）が，前記クライアント（３ｂ）の出力部（１４）に出力された商品デザインに関する情報を商品化することを選択した場合に，前記選択したクライアントから，前記サーバ（１）へ，商品化希望情報，その選択された商品デザインのＩＤ，及び商品化希望者のＩＤを含む情報を送信させるようにする。
【００３０】
商品化希望受領部（１６）は，前記商品デザインに関する情報を商品化することを選択したクライアント（３ｂ）が送信した，前記商品化希望情報，商品デザインのＩＤ，及び商品化希望者のＩＤを含む情報を受け取る。
【００３１】
商品化希望情報記憶部（１７）は，前記商品化希望受領部（１６）が受け取った前記商品化希望情報，商品デザインのＩＤ，及び商品化希望者のＩＤを含む情報を記憶する。
【００３２】
商品化希望通知部（１８）は，前記商品化希望受領部（１６）が商品化希望情報を受け取った場合に，前記商品化希望情報記憶部（１７）から，前記商品デザインのＩＤを読み出すとともに，前記商品デザインのＩＤと関連して記憶される商品デザインの提供者のＩＤを読み出し，前記商品デザインの提供者のＩＤに関するクライアントへ，商品化希望があった旨の通知を行う。
【実施例１】
【００３３】
以下実施例を用いて本発明を具体的に説明する。図３は，デザインをサーバに送信する際にクライアントに表示される表示画面の例を示す図である。図４は，商品化を希望する者のクライアントに表示される表示画面の例を示す図である。すなわち，学生がたとえば，図３に示される画面から所定のデザインをサーバに送信する。そして，サーバでは，送信されたデザインをカテゴリーなどに分類して表示する。すると，商品化を希望する者は，図４に示されるような画面を通じて，そのデザインを商品化したい場合は，その旨の意思表示を行う。すると,本発明のシステムにより，デザイン提供者へ商品化希望者に関する情報などが，電子メールなどで送信される。このようにして，デザイン提供者は，自分のデザインが商品化される可能性があることを知り，デザイン創作への動機付けがより高まることとなる。
【産業上の利用可能性】
【００３４】
本発明は，インターネットを用いた商取引などの分野で利用されうる。
【図面の簡単な説明】
【００３５】
【図１】図１は，本発明のシステムの概略図である。
【図２】図２は，本発明のサーバ及びクライアントの概略構成図である。
【図３】図３は，デザインをサーバに送信する際にクライアントに表示される表示画面の例を示す図である。
【図４】図４は，商品化を希望する者のクライアントに表示される表示画面の例を示す図である。
【符号の説明】
【００３６】
１  サーバ
２  インターネット
３  クライアント（３ａ，３ｂ，３ｃ）
４  提供システム（４）
１１  商品デザイン受領部
１２  商品デザインＩＤ割当部
１３  商品デザイン記憶部
１４  出力部
１５  選択時処理部
１６  商品化希望受領部
１７  商品化希望情報記憶部
１８  商品化希望通知部
【図１】
2008269033.tif 000003
【図２】
2008269033.tif 000004
【図３】
2008269033.tif 000005
【図４】
2008269033.tif 000006